(57)【要約】【課題】人為的なミスおよび装置のトラブル等により発生する測定誤差を減らす。【解決手段】測量機能と、回転する回転部と、前記回転部の回転の前後における前記測量機能による測量データを比較することで、前記回転部の回転誤差を検出する回転誤差検出部３００とを備えた測量装置。【選択図】図５
2020041962.tif 000002
【特許請求の範囲】
【請求項１】
測量機能と、
回転する回転部と、
前記回転部の回転の前後における前記測量機能による測量データを比較することで、前記回転部の回転誤差を検出する回転誤差検出部と
を備えた測量装置。
【請求項２】
前記回転誤差検出部が検出した回転誤差に係る情報を報知する報知部を備える請求項１に記載の測量装置。
【請求項３】
前記回転部を回転可能な状態で支持する支持部と、
前記支持部が固定される基盤部と
を備え、
前記報知は、前記支持部の前記基盤部に対する固定の状態の異常に係る情報である請求項２に記載の測量装置。
【請求項４】
前記基盤部に前記支持部を固定する締め付け部材を備え、
前記報知は、前記締め付け部材の締め付けの状態に関する情報である請求項３に記載の測量装置。
【請求項５】
前記締め付け部材は、前記基盤部を貫通すると共にその先端が前記支持部材に接触する請求項４に記載の測量装置。
【請求項６】
前記締め付け部材と前記支持部材との接触の状態を電気的に検出する接触検出部を備える請求項５に記載の測量装置。
【請求項７】
測量機能を備え、回転する回転部と、
前記回転部を回転可能な状態で支持する支持部と、
前記支持部が固定された基盤部と、
前記支持部の前記基盤部に対する固定の状態の異常を検出する異常検出部と
を備える測量装置。
【請求項８】
前記基盤部に前記支持部を固定する締め付け部材を備え、
前記締め付け部材は、前記基盤部を貫通すると共にその先端が前記支持部材に接触し、
前記異常検出部は、前記締め付け部材と前記支持部材との接触の状態を電気的に検出する請求項７に記載の測量装置。
【請求項９】
測量機能と、回転する回転部とを備えた測量装置の動作方法であって、
前記回転部の回転の前後における前記測量機能による測量データを比較することで、前記回転部の回転誤差を検出する測量装置の動作方法。
【請求項１０】
コンピュータに読み取らせて実行させるプログラムであって、
コンピュータを
測量機能と、回転する回転部とを備えた測量装置の前記回転部を回転させるステップと、
前記回転部の前記回転の前後における前記測量機能による測量データを比較することで、前記回転部の回転誤差を検出するステップと
を備えるプログラム。
【発明の詳細な説明】
【技術分野】
【０００１】
本発明は、回転駆動部を備える測量装置の異常を検知する技術に関する。
【背景技術】
【０００２】
測量対象（ターゲット）の位置（距離および方向）を測距光等により測量する装置として、トータルステーションが知られている（例えば、特許文献１を参照）。また、トータルステーション等の測量装置は、測距光軸を測定対象物に向けるため、本体部を回転させる回転駆動部を備える（例えば、特許文献２を参照）。
【先行技術文献】
【特許文献】
【０００３】
【特許文献１】特許第５６２８６４８号
【特許文献２】特開２０１４−１３７２９９号公報
【発明の概要】
【発明が解決しようとする課題】
【０００４】
測量対象（ターゲット）を測量することで、ターゲットの位置データ（ターゲットまでの距離およびターゲットの方向）を得る測量装置（例えば、トータルステーション（ＴＳ））は、測距光軸を測定対象物に向けるための回転機構として、水平回転駆動部および鉛直回転駆動部等の回転駆動部を備える。例えば、水平回転駆動部は、本体部を水平回転させることで、全周スキャン等の周囲３６０°の測量を可能にしている。このように、回転駆動部は、測量を行う上では必要不可欠であり、回転駆動部に問題が生じた場合、高精度の測量の実現は難しくなる。そこで、本発明は、測量装置およびその回転駆動部の状況を確認することで、高精度な測量の実現を阻害する要因を防止する技術の提供を目的とする。
【課題を解決するための手段】
【０００５】
請求項１に記載の発明は、測量機能と、回転する回転部と、前記回転部の回転の前後における前記測量機能による測量データを比較することで、前記回転部の回転誤差を検出する回転誤差検出部とを備えた測量装置である。
【０００６】
請求項２に記載の発明は、請求項１に記載の発明において、前記回転誤差検出部が検出した回転誤差に係る情報を報知する報知部を備えることを特徴とする。
【０００７】
請求項３に記載の発明は、請求項２に記載の発明において、前記回転部を回転可能な状態で支持する支持部と、前記支持部が固定される基盤部とを備え、前記報知は、前記支持部の前記基盤部に対する固定の状態の異常に係る情報であることを特徴とする。
【０００８】
請求項４に記載の発明は、請求項３に記載の発明において、前記基盤部に前記支持部を固定する締め付け部材を備え、前記報知は、前記締め付け部材の締め付けの状態に関する情報であることを特徴とする。
【０００９】
請求項５に記載の発明は、請求項４に記載の発明において、前記締め付け部材は、前記基盤部を貫通すると共にその先端が前記支持部材に接触することを特徴とする。
【００１０】
請求項６に記載の発明は、請求項５に記載の発明において、前記締め付け部材と前記支持部材との接触の状態を電気的に検出する接触検出部を備えることを特徴とする。
【００１１】
請求項７に記載の発明は、測量機能を備え、回転する回転部と、前記回転部を回転可能な状態で支持する支持部と、前記支持部が固定された基盤部と、前記支持部の前記基盤部に対する固定の状態の異常を検出する異常検出部とを備える測量装置である。
【００１２】
請求項８に記載の発明は、請求項７に記載の発明において、前記基盤部に前記支持部を固定する締め付け部材を備え、前記締め付け部材は、前記基盤部を貫通すると共にその先端が前記支持部材に接触し、前記異常検出部は、前記締め付け部材と前記支持部材との接触の状態を電気的に検出することを特徴とする。
【００１３】
請求項９に記載の発明は、測量機能と、回転する回転部とを備えた測量装置の動作方法であって、前記回転部の回転の前後における前記測量機能による測量データを比較することで、前記回転部の回転誤差を検出する測量装置の動作方法である。
【００１４】
請求項１０に記載の発明は、コンピュータに読み取らせて実行させるプログラムであって、コンピュータを測量機能と、回転する回転部とを備えた測量装置の前記回転部を回転させるステップと、前記回転部の前記回転の前後における前記測量機能による測量データを比較することで、前記回転部の回転誤差を検出するステップとを備えるプログラムである。
【発明の効果】
【００１５】
本発明によれば、測量装置による測量の開始前に、装置およびその回転駆動部の状況の確認を行うことで、人為的なミスや装置のトラブルを未然に防ぐことが可能となる。例えば、本発明をトータルステーションに用いるのならば、本体部と回転駆動部の固定がなされていない場合や回転駆動部の故障による動作不良が発生している場合等による異常を検出することができる。それにより、測量精度の維持または向上に寄与する。
【図面の簡単な説明】
【００１６】
【図１】実施形態の概念図である。
【図２】トータルステーションの斜視図である。
【図３】トータルステーションの正面図である。
【図４】トータルステーションのブロック図である。
【図５】回転誤差検出部のブロック図である。
【図６】処理の一例を示すフローチャートである。
【図７】トータルステーションが備える上盤部および基盤部の斜視図である。
【図８】トータルステーションが備える基盤部の平面図である。
【図９】回転誤差検出部のブロック図である。
【図１０】処理の一例を示すフローチャートである。
【発明を実施するための形態】
【００１７】
１．第１の実施形態
（概要）
ここでは、測量装置としてトータルステーション（ＴＳ）を対象とし、ＴＳが備える回転駆動部の動作に関連する異常有無の検出を行う実施形態を説明する。
【００１８】
図１は、本実施形態の概念図である。図１には、ＴＳ１００が反射プリズム２００に対して、レーザー光を照射することで測量を行っている様子が示されている。一般に、反射プリズム２００は測定対象物に備えられ、ＴＳ１００は反射プリズム２００にレーザー光を照射することによって、測定対象物の測量を行う。しかしながら、本発明の実施においては、反射プリズム２００が測定対象物に備えられているか否かは、問題とならない。
【００１９】
（トータルステーションの構成）
図２には、図１に示すＴＳ１００の斜視図が示され、図３には、正面図が示されている。ＴＳ１００は、ターゲット（または、ターゲットに備えられる反射プリズム）を探索する探索用レーザースキャン機能、および探索したターゲット（ターゲットに備えられる反射プリズム）を自動視準するための機構を備える。
【００２０】
この自動視準のための機構は、後述する機能部である、追尾光の送受信部を構成する追尾光受光部１０４、追尾光受光部１０５、追尾光を用いた視準を行うためのモータ駆動機構を構成する水平回転駆動部１０６と鉛直回転駆動部１０９に加え、自動追尾の制御を行う演算制御部１１３を有することで自動追尾が可能である。また、自動視準および自動追尾を行うＴＳは、特に自動視準追尾トータルステーション（モータドライブトータルステーション：ＭＤＴＳ）と呼ばれる。なお、ＴＳ１００が自動視準のための機構を有することで、ユーザーがターゲットを視準する作業を大幅に削減できる。
【００２１】
また、ＴＳ１００は、測距用レーザー光を用いてターゲットまでの距離を測距するレーザー測距機能、レーザー測距されたターゲットの方向（水平角と鉛直角（仰角または俯角））を計測する機能、ターゲットまでの距離と方向からターゲットの三次元位置（座標）を算出する機能（測位機能）を有する。
【００２２】
ＴＳ１００は、本体部１１を有している。本体部１１は、基盤部１２に水平回転（Ｚ軸を中心とした回転）が可能な状態で保持されている。基盤部１２は図示しない三脚の上部に固定される。本体部１１は、Ｙ軸の方向から見て上方に向かって延在する２つの延在部を有する略コの字形状を有し、この２つの延在部の間に可動部１３が鉛直角（仰角および俯角）の制御が可能な状態で保持されている。
【００２３】
本体部１１は、基盤部１２に対して電動で回転する。すなわち、本体部１１は、モータにより基盤部１２に対する水平回転角の角度制御が行われる。また、可動部１３は、モータにより鉛直角の角度制御が行なわれる。この水平回転角と鉛直角の角度制御のための駆動は、本体部１１に内蔵された水平回転駆動部１０６および鉛直回転駆動部１０９（図４のブロック図を参照）により行われる。また、水平回転駆動部１０６については、基盤部１２に内蔵されるものであってもよい（例えば、特開２０１４−１３７２９９号公報に記載の測量機器が、これに該当する）。なお、水平回転駆動部１０６および鉛直回転駆動部１０７についての説明は後述する。
【００２４】
本体部１１には、水平回転角制御ダイヤル１４ａと鉛直角制御ダイヤル１４ｂが配置されている。水平回転角制御ダイヤル１４ａを操作することで、本体部１１（可動部１３）の水平回転角の調整が行なわれ、鉛直角制御ダイヤル１４ｂを操作することで、可動部１３の鉛直角の調整が行なわれる。
【００２５】
可動部１３の上部には、大凡の照準を付ける角筒状の照準器１５ａが配置されている。また、可動部１３には、照準器１５ａよりも視野が狭い光学式の照準器１５ｂと、より精密な視準が可能な望遠鏡１６が配置されている。
【００２６】
照準器１５ｂと望遠鏡１６が捉えた像は、接眼部１７を覗くことで視認できる。望遠鏡１６は、測距用のレーザー光と測距対象（例えばターゲットとなる専用の反射プリズム）を追尾および捕捉するための追尾光の光学系を兼ねている。測距光と追尾光の光軸は、望遠鏡１６の光軸と一致するように光学系の設計が行なわれている。
【００２７】
本体部１１には、ディスプレイ１８と１９が取り付けられている。ディスプレイ１８は、後述する操作部１１１と一体化されている。ディスプレイ１８と１９には、ＴＳ１００の操作に必要な各種の情報や測量データ等が表示される。前後に２つディスプレイがあるのは、本体部１１を回転させなくても前後のいずれの側からでもディスプレイを視認できるようにするためである。なお、説明したＴＳの詳細な構造については、例えば特開２００９−２２９１９２号公報、特開２０１２―２０２８２１号公報に記載されている。
【００２８】
図４は、ＴＳ１００のブロック図である。ＴＳ１００は、測距部１０１、追尾光発光部１０２、追尾光受光部１０３、水平角検出部１０４、鉛直角検出部１０５、水平回転駆動部１０６、鉛直回転駆動部１０７、表示部１０８、操作部１０９、記憶部１１０、通信部１１１、演算制御部１１２を備えている。
【００２９】
測距部１０１は、測距用レーザー光を用いたターゲットまでの距離の計測を行う。測距部１０１は、測距用レーザー光の発光素子、照射光学系、受光光学系、受光素子、測距演算部、測距基準光の光路を備えている。測定対象までの距離は、測定対象から反射された測距光と基準光の位相差から算出される。距離の算出方法は、通常のレーザー測距と同じである。
【００３０】
追尾光発光部１０２および追尾光受光部１０３は、三角錐型または扇形ビームを有した探索用レーザー光を用いた反射プリズムの探索を行う。反射プリズムは、探索対象（視準目標）に備えられ、反射プリズムが探索およびレーザー照射対象となることで、探索対象（視準目標）の自動視準が行われる。すなわち、追尾光発光部１０２が発光した探索用レーザー光を反射プリズムに照射し、その反射光を追尾光受光部１０３の受光素子の中心に位置するよう制御することで、視準目標を追尾する。
【００３１】
水平角検出部１０４および鉛直角検出部１０５は、測距部１０１が測距したターゲットの水平方向角と鉛直方向角（仰角および俯角）を計測する。測距部１０１、追尾光発光部１０２および追尾光受光部１０３の光学系を備えた筐体部分は、水平回転および仰角（俯角）制御が可能であり、水平方向角と鉛直方向角は、エンコーダにより計測される。このエンコーダの出力が水平角検出部１０４および鉛直角検出部１０５で検出され、水平方向角と鉛直方向角（仰角および俯角）の計測が行われる。
【００３２】
水平回転駆動部１０６および鉛直回転駆動部１０７は、測距部１０１、追尾光発光部１０２および追尾光受光部１０３の光学系を備えた筐体部分の水平回転および仰角制御（および俯角制御）を行うモータ、該モータの駆動回路、該駆動回路の制御回路を含む。
【００３３】
表示部１０８は、ＴＳ１００を扱うユーザー等に対して、その処理結果等を視覚的に認識できる状態、例えば、ＧＵＩ（Graphical User Interface）等の技術により、情報の提供または表示を行う。操作部１０９は、テンキーや十字操作ボタン等が配され、ＴＳ１００に係る各種の操作やデータの入力が行なわれる。また、表示部１０８および操作部１０９は、ユーザーが情報表示画面をタッチすることで動作するタッチパネル方式を採用することによって、一体化可能である。なお、ディスプレイ１８および１９は、表示部１０８に該当する。
【００３４】
記憶部１１０は、ＴＳ１００の動作に必要な制御プログラム、各種のデータ、測量結果等を記憶する。通信部１１１は、通信部１１１が備えられる装置以外の装置との間で、各種情報およびデータの送受信を行う機能部であって、無線通信機能、有線通信機能および光通信機能のうち少なくとも一つを備える。
【００３５】
演算制御部１１２は、ＴＳ１００の各種動作制御に係わる演算処理および記憶部１１０に記憶するデータの管理の制御を行う。また、演算制御部１１２は、後述する回転誤差検出部３００を備える。したがって、演算制御部１１２は、回転誤差検出部３００の処理に応じて、ＴＳ１００を動作させることができる。
【００３６】
演算制御部１１２は、例えば、ＣＰＵ（Central Processing Unit）、ＡＳＩＣ（Application Specific Integrated Circuit）、ＦＰＧＡ（Field Programmable Gate Array）に代表されるＰＬＤ（Programmable Logic Device）などの電子回路により構成される。また、一部の機能を専用のハードウェアで構成し、他の一部を汎用のマイコンにより構成することも可能である。
【００３７】
演算制御部１１２の各機能部を専用のハードウェアで構成するのか、ＣＰＵにおけるプログラムの実行によりソフトウェア的に構成するのかは、要求される演算速度、コスト、消費電力等を勘案して決定される。なお、機能部を専用のハードウェアで構成することとソフトウェア的に構成することは、特定の機能を実現するという観点からは、等価である。加えて、各機能部を装置として実現することも等価である。
【００３８】
（回転誤差検出部の構成）
回転誤差検出部３００は、回転機能を有する装置に用いるものであって、回転実施前後の取得データの差異から、装置の回転時における異常の存在を検出するものである。装置の回転時における異常の原因は、例えば、装置の各部が固定されていないため回転前後で回転部と本体部の位置にズレが生じている、装置の回転制御が正しく行われていない等が挙げられる。
【００３９】
図５に、回転誤差検出部３００のブロック図を示す。回転誤差検出部３００は、データ取得信号生成部３０１、データ受付部３０２、試験回転信号生成部３０３、データ判定部３０４を有する。
【００４０】
データ取得信号生成部３０１は、回転を実施することで異常の有無を調べたい装置（以下、対象装置）に対して、異常の有無を判定するためのデータを回転実施の前後で取得させる動作を行わせる信号を生成する。ここで、データ取得信号生成部３０１が対象装置に取得させるデータは、本実施形態のようにＴＳを対象装置とするならば、回転前および回転後の反射プリズムの測角データ（ＴＳに対する反射プリズムの角度）となる。
【００４１】
データ受付部３０２は、データ取得信号生成部３０１の機能によって対象装置が取得したデータおよび対象装置が持つ各種データを受け付ける。本実施形態の場合ならば、回転前および後の反射プリズムの測角データをＴＳから受け付ける。
【００４２】
試験回転信号生成部３０３は、対象装置に試験回転を実施させる信号を生成する。ここで、試験回転とは、対象装置の回転時における異常の有無を確認するために行う回転を指す。
【００４３】
試験回転の方法および方向に制限はないが、回転方向の角度を十分に変化（例えば、合計で３６０°以上の変化）させ、かつ回転角の合計が３６０Ｎ°（Ｎは整数）となるように回転させることが望ましい。その理由としては、回転により角度を十分に変化させない場合、対象装置に変化が生じず、軽微な異常が検知できない可能性があるためである。そして、回転角の合計が３６０Ｎ°（Ｎは整数）とならないように回転させた場合、回転前の対象装置の向きとの角度の差を勘案しなければならず、後述するデータ判定部３０４での判定が複雑になるためである。
【００４４】
例えば、ＴＳ１００の水平回転時における異常の有無を確認するための試験回転ならば、高速で任意の角度（２７０°以上）を回転させた後、再度後方へ振り向き（９０°〜１８０°の角度の回転）、回転前のＴＳ１００の向きと一致させるような回転動作を行う。
【００４５】
データ判定部３０４は、データ受付部３０２が受け付けたデータから対象装置の状態を判定する。本実施形態であるならば、試験回転前に対象装置が取得したデータと試験回転後に対象装置が取得したデータとを比較し、その差異が規定以上ならば、対象装置に異常が存在すると判断する。なお、判定基準となる規定（または、規定値）は、任意に決定されるものでよい。データ判定部３０４は、ユーザーによって、任意に決定される規定を受け付ける判定基準受付部を備える構成としてもよい。
【００４６】
回転誤差検出部３００は、図示しない記憶部や通信部を備える構成であってもよい。そして、回転誤差検出部３００は、対象装置に備えられる機能部としてではなく、別個装置として実装してもよい。
【００４７】
回転誤差検出部３００は、通信部を備えることで、対象装置を介さず、外部装置と通信が可能になる。また、回転誤差検出部３００を対象装置とは別個の装置として実装した場合において、対象装置との通信手段となる。
【００４８】
回転誤差検出部３００は、記憶部を備えることで、対象装置に備えられる記憶部を介さず、処理が可能になる。そして、回転誤差検出部３００を対象装置とは別個の装置として実装した場合において、回転誤差検出部３００が行う処理に必要なデータを記憶する手段となる。
【００４９】
（処理の一例）
本実施形態において、回転誤差検出部３００が行う処理の一例を図６に示す。ここでは、ＴＳ１００が試験回転として水平回転（図２および図３におけるＺ軸を中心とした回転）を行うことで、異常の有無を確認する場合の処理を示す。
【００５０】
まず、回転誤差検出部３００は、データ取得信号生成部３０１の機能により、ＴＳ１００に反射プリズム２００を探索および測角させる（ステップＳ１０１）。次に、回転誤差検出部３００は、データ受付部３０２の機能により、ステップＳ１０１において、ＴＳ１００が反射プリズムの測角で得た測角データを受け付ける（ステップＳ１０２）。次に、回転誤差検出部３００は、試験回転信号生成部３０３の機能により、ＴＳ１００に水平方向駆動部１０６を駆動させ、水平方向に試験回転（図２および図３におけるＺ軸を中心とした回転）をさせる（ステップＳ１０３）。この試験回転では、例えば、上方から見て、時計回りに２７０°回転→停止→更に時計回りに９０°回転を行う。
【００５１】
そして、試験回転実施後、回転誤差検出部３００は、データ取得信号生成部３０１の機能により、反射プリズム２００の測角を再度行い、試験回転後の測角データを得る（ステップＳ１０４）。次に、回転誤差検出部３００は、データ受付部３０２の機能により、ステップＳ１０４において、ＴＳ１００が反射プリズムの測角で得た測角データを受け付ける（ステップＳ１０５）。
【００５２】
最後に、回転誤差検出部３００は、データ判定部３０４の機能により、ステップＳ１０２において受け付けた試験回転前の測角データとステップＳ１０４において受け付けた試験回転後の測角データから、その２つの水平角を比較し、水平角の差が規定値以下ならば、異常なしと判定し、規定値以上ならば、異常ありと判定する（ステップＳ１０６）。以上で処理は終了となる。判定の結果は、報知部として機能する表示部１０８に表示され、回転動作に係る異常の有無についてユーザーへの報知が行われる。この報知情報をＴＳ１００が備える通信部１１１および回転誤差検出部３００が備える通信部（図示省略）の機能により、無線で他の機器に送信する形態も可能である。
【００５３】
なお、上述のステップＳ１０１からステップＳ１０６の処理では、ステップＳ１０２およびステップＳ１０５の２回に分けて、測角データを取得したが、ステップＳ１０２の処理を行わず、ステップＳ１０５の処理の際に、試験回転後の測角データに加え、試験回転前の測角データも受け付ける処理としてもよい。
【００５４】
（変形例１）
上述のステップＳ１０１からステップＳ１０６の処理においては、水平方向に試験回転を行ったが、鉛直方向に試験回転を行うこともできる。この場合は、ステップＳ１０３において、鉛直方向に試験回転（図２および図３におけるＸ軸を中心とした回転）を行い、ステップＳ１０６において、試験回転前後の鉛直角を比較することで行うことができる。
【００５５】
（変形例２）
また、本発明の実施において、対象装置となるものは、回転駆動部を備え、回転実施前後で比較するためのデータを取得できる装置であればよく、ＴＳに限られるものではない。例えば、回転駆動部を備えるレーザースキャナ等の測量装置や写真撮影用カメラおよびビデオカメラ等の撮影装置であっても実施の可能性がある。
【００５６】
レーザースキャナで、本発明を実施するならば、レーザースキャナが測量する点群データに三次元座標情報が付与されていることを利用し、任意の点群データにおいて、試験回転前と後の三次元座標を比較して、その差から固定状況を確認してもよい。
【００５７】
写真撮影用カメラおよびビデオカメラ等の撮影装置で、本発明を実施するならば、試験回転前と後の写真画像または撮影動画におけるカメラの外部標定要素（カメラの位置および傾き）を算出し、算出された外部標定要素の差から固定状況を確認してもよい。
【００５８】
２．第２の実施形態
（概要）
第１の実施形態で示した、試験回転の実施により対象装置の異常の有無を確認する方法は、他の対象装置の異常の有無を確認する方法と組み合わせることで、より効果を高めることができる。そこで、本実施形態では、ＴＳの本体部と水平回転駆動部とを固定する締め込みネジの締め込みを確認する方法を例として説明する。なお、本実施形態において、ＴＳ１００、反射プリズム２００および回転誤差検出部３００については、特に言及のない場合、第１の実施形態と同様とする。
【００５９】
（ＴＳの構成）
図２および図３に示すＴＳ１００の本体部１１は、上盤部２０に対して回転可能な状態で結合している。上盤部２０は、三脚等の上部に固定された基盤部１２に結合される。通常、ＴＳ１００が運搬される状態では、上盤部２０と基盤部１２は分離されている。そして、測量現場にＴＳ１００が設置される段階で、本体部１１下部の上盤部２０が基盤部１２に固定される。この様子が図７に示されている。
【００６０】
図７に示すように、本体部１１が備える上盤部２０には、下方に突出した突起部２１が複数（この例では３つ）設けられ、基盤部１２には、突起部２１が挿入される挿通孔２２が設けられている。上盤部２０と基盤部１２は、突起部２１を挿通孔２２へ挿入することで、結合される構造となっている。
【００６１】
図８は、図２、図３および図７に示す基盤部１２を上方から見た平面図である。図８に示すように基盤部１２には、外側から内側に貫通するネジ孔が形成され、このネジ孔に締め込みネジ２３が捩じ込まれる。すなわち、締め込みネジ２３は、基盤部１２側を雄とし、基盤部１２と結合された上盤部２０を雌とする締め込みが行われる。上盤部２０の締め込みネジ２３の締め込み先に対応する部分には、凹部２０ａが設けられている。上盤部２０と基盤部１２を結合した状態で、締め込みネジ２３を回転させ、その先端を凹部２０ａに突き当てることで、基盤部１２に対する上盤部２０の位置決めが行われる。この構造により、上盤部２０と基盤部１２（すなわち、本体部１１と基盤部１２）を固定し、回転駆動部の動作時の本体部１１の揺れ、および基盤部１２に対する上盤部２０のガタやズレの発生を抑制することができる。
【００６２】
なお、この締め込みネジ２３を締め込まないまま、あるいは締め込みが不十分なままＴＳ１００が測定対象物の自動視準や自動追尾のために回転動作をすると、本体部１１の揺れ等により、水平角の測量に誤差が生じてしまい、高精度な測量の実現が難しくなってしまう。このため、ＴＳ１００の基盤部１２への設置時に、締め込みネジ２３をしっかりと締め付ける必要がある。
【００６３】
そこで、本実施形態では、以下に説明するように、締め込みネジ２３の締め込みが確実に行われているか否かを判定する構成としている。本実施形態において、締め込みネジ２３は、その先端が電気的なスイッチ（例えば、普段はスイッチが開放されているが、締め込みネジ２３が締め込まれるとスイッチが短絡されるａ接点）になっている。そして、上盤部２０（または本体部１１）には、締め込みネジ２３をスイッチとする電気回路を備え、演算制御部１１２において電気信号の管理を行うシーケンス回路が備えられる。
【００６４】
すなわち、締め込みネジ２３をａ接点として実装するならば、正常に締め込みネジ２３の締め込みが行われることで、電気回路が形成される。そして、電気回路が形成されたことにより発生した電気信号が演算制御部１１２に設けられた接触検出部４００で検出され、締め込みネジ２３の締め込みが確認できる。さらに、演算制御部１１２の機能により、表示部１８および１９に締め込みネジ２３の締め込みが正常に行われた旨を表示（報知）させることができる。
【００６５】
（回転誤差検出部の構成）
本実施形態において、回転誤差検出部３００は、図９に示すように、図５に示す構成に加え、異常認証表示制御部３０５を備える。異常認証表示制御部３０５は、ＧＵＩの制御を行うものであって、ＴＳ１００のディスプレイ１８および１９に表示される情報を制御することで、ユーザーに表示画面上で異常の有無を確認させる機能を制御する。また、異常認証表示制御部３０５は、ユーザーが音声によって、異常の有無を確認する機能を制御するものであってもよい。
【００６６】
なお、本実施形態においては、データ受付部３０２は、ＴＳ１００が計測した試験回転前後の反射プリズム２００の測角データに加え、Ｓ１００の演算制御部１１２が持つ締め込みネジ２３が締め込まれているか否かの情報を受け付ける。そして、データ判定部３０４は、試験回転前後の測角データの比較判定に加え、締め込みネジ２３が締め込まれているか否かの情報に応じた判定も行う。
【００６７】
（処理の一例）
本実施形態において、回転誤差検出部３００が行う処理の一例を図１０に示す。ここでは、回転誤差検出部３００が、ユーザーによる締め込みネジ２３の締め忘れを防止する装置として機能させる場合を説明する。
【００６８】
まず、回転誤差検出部３００は、異常認証表示制御部３０５の機能により、ＴＳ１００のディスプレイ１８および１９に、ユーザーが締め込みネジ２３の締め込みを行ったか確認する画面を表示させ、ユーザーに確認をさせる（ステップＳ２０１）。
【００６９】
次に、回転誤差検出部３００は、データ受付部３０２の機能により、ＴＳ１００の演算制御部１１２から、締め込みネジ２３が締め込まれているか否かの情報を受け付ける（ステップＳ２０２）。そして、回転誤差検出部３００は、データ判定部３０４の機能により、判定を行い、締め込みネジ２３が締め込まれていないと判定されたのならば、ステップＳ２０４へ進む処理を行い、締め込まれていると判定されたのならば、ステップＳ２０５へ進む処理を行う（ステップＳ２０３）。
【００７０】
回転誤差検出部３００は、異常認証表示制御部３０５の機能により、ＴＳ１００のディスプレイ１８および１９に、ユーザーに締め込みネジ２３の締め込み確認を行う旨のメッセージを表示させ、ユーザーに再確認を促す。そして、ユーザーによる再確認後はステップＳ２０２へ戻る（ステップＳ２０４）。
【００７１】
ステップＳ１０１〜ステップＳ１０５と同様の処理を行う（ステップＳ２０５）。次に、ステップＳ２０５の処理により得られた試験回転後の測角データから、その２つの水平角を比較し、水平角の差が規定値以下ならば、締め込みネジ２３の締め忘れ等はないと判定し、処理を終える。そして、水平角の差が規定値より上ならば、締め込みネジ２３の締め忘れ、または締め込みが足りない等が発生していると判定する（ステップＳ２０６）。
【００７２】
ステップＳ２０６において、締め込みネジ２３の締め忘れ、または締め込みが足りない等が発生していると判定された場合、ＴＳ１００のディスプレイ１８および１９に、ユーザーに締め込みネジ２３の締め込みの確認を行う旨のメッセージを表示させ、ユーザーに再確認を促す（ステップＳ２０７）。以上で処理を終える。
【００７３】
本実施形態では、ＴＳ１００の締め込みネジ２３の締め込みの確認を行う処理の説明をしたが、ステップＳ２０１からステップＳ２０４までの処理を締め込みネジ２１の締め込みの確認とし、ステップＳ２０５からステップＳ２０７はＴＳ１００等の装置側に起因する異常（装置の回転駆動部の故障）の検出とする形態も可能である。また、ステップＳ２０７において、規定値より上であった場合は、締め込みネジ２３の締め込み具合によるもの以外に予想され得る要因を対象装置の表示部に列挙し、それを一つ一つ、ユーザーに確認させるものであってもよいし、ユーザー確認後、ステップＳ２０５へ戻る処理としてもよい。
【００７４】
また、本実施形態では、ユーザーがディスプレイに表示された情報を確認しながら処理を進める例を示したが、ユーザーの確認を要しない処理を行うこともできる。その場合は、ステップＳ２０１、ステップＳ２０４およびステップＳ２０７は行わず、下記のような処理を行う。
【００７５】
まず、ステップＳ２０２を行う。次いで行うステップＳ２０３の処理で行われる判定において、締め込みネジ２１が締め込まれていないと判定されたのならば、その旨をディスプレイ１８および１９に表示して処理を終える。なお、締め込みネジ２３が締め込まれていると判定されたのならば、ステップＳ２０５へ進み、続けてステップＳ２０６を行う。最後に、ステップＳ２０６で行われる判定の結果をディスプレイ１８および１９に表示して処理を終える。
【００７６】
（優位性）
ユーザーは、本発明を実施することで、装置の回転動作に関連する異常や人為的なミスを、測量前に検知できる。加えて、本発明は、測量データを用いて検知するため、人間が見落としがちな軽微な異常も検知可能である。したがって、軽微な異常も事前に検知することで、高精度な測量の実現に寄与できる点が本発明の優位性である。
【産業上の利用可能性】
【００７７】
本発明は、測量の分野に利用可能である。
【符号の説明】
【００７８】
１１…本体部、１２…基盤部、１３…可動部、１４a…水平回転角制御ダイヤル、１４b…鉛直回転角制御ダイヤル、１５a…照準器、１５b…照準器、１６…望遠鏡、１７…接眼部、１８…ディスプレイ、１９…ディスプレイ、２０…上盤部、２０a…凹部、２１…突起部、２２…挿通孔、２３…締め込みネジ、１００…ＴＳ、１０１…測距部、１０２…追尾光発光部、１０３…追尾光受光部、１０４…水平角検出部、１０５…鉛直角検出部、１０６…水平回転駆動部、１０７…鉛直回転駆動部、１０８…表示部、１０９…操作部、１１０…記憶部、１１１…通信部、１１２…演算制御部、２００…反射プリズム、３００…回転誤差検出部、３０１…データ取得信号生成部、３０２…データ受付部、３０３…試験回転信号生成部、３０４…データ判定部、３０５…異常認証表示制御部、４００…接触検出部。
【図１】
2020041962.tif 000003
【図２】
2020041962.tif 000004
【図３】
2020041962.tif 000005
【図４】
2020041962.tif 000006
【図５】
2020041962.tif 000007
【図６】
2020041962.tif 000008
【図７】
2020041962.tif 000009
【図８】
2020041962.tif 000010
【図９】
2020041962.tif 000011
【図１０】
2020041962.tif 000012